【事件の表示】
　平成　８年特許願第２０４７９３号「電子討論システム及び電子討論方法」拒絶査定不服審判事件〔平成１０年　２月２０日出願公開、特開平１０−　４９５８１〕について、次のとおり審決する。
【結　論】
　本件審判の請求は、成り立たない。
【理　由】
１．手続の経緯・本願発明
　本願は、平成８年８月２日の出願であって、その請求項１に係る発明は、平成１７年３月１１日付け手続補正書で補正された特許請求の範囲の請求項１に記載された事項により特定される次のとおりのものと認める。（以下、「本願発明」という。）
「【請求項１】入力された発言内容を該発言内容が属する討論テーマに対応付けて格納し、登録されているユーザについて該ユーザが参加する前記討論テーマに対応付けられている発言内容を該ユーザに該当するユーザ区分に対応付ける討論装置と、
　前記登録されたユーザからの操作指示を入力し、該登録されたユーザに該当する前記討論装置における前記ユーザ区分に対応する前記格納された発言内容を参照して表示する討論指定聴講端末と、
　前記登録されたユーザ以外のユーザからの前記討論テーマの選択指示を入力し、当該討論テーマに対応付けられた前記格納された発言内容を前記討論装置から得て表示する無指定聴講端末とを有することを特徴とする電子討論システム。」
　
２．引用例
　これに対して、当審において平成１７年１月５日付けで通知した拒絶の理由に引用した特開平８−１６３１６０号公報（以下、「刊行物１」という。）には、図面とともに次の事項が記載されている。
（１）「【０００１】
【産業上の利用分野】本発明は、通信回線により複数の端末を相互接続してサーバ上で管理された掲示情報に対し、特定ユーザの参照状況の確認および特定ユーザの参照状況に基づいた削除処理を行う掲示板システムに関する。
【０００２】
【従来の技術】近年、端末を相互接続しネットワーク化することが盛んに行われており、電子媒体を利用して複数のユーザが互いに文書を掲載・参照可能なものとして掲示板システムが知られている。この掲示板システムは、例えばレクレーションや会議の開催通知などの情報の通知・伝達に利用され、これらの回覧権を有するユーザによって内容を参照できるようになっている。」（２頁２欄３５〜４８行）
（２）「【００１４】
　【実施例】本発明の実施例を図面を参照して説明する。図２は、本発明の一実施例である掲示板システム１の構成を示している。この掲示板システム１は、情報処理手段である掲示情報処理装置２及び記憶手段としてのデータベース（以下、ＤＢと呼ぶ。）３を搭載したネットワークサーバ４と、このネットワークサーバ４にローカルエリアネットワーク（以下、ＬＡＮと呼ぶ。）５を介して接続された複数の端末装置６ａ，６ｂ，６ｃ…（以下、端末６と総称する。）を有するクライアント７とから構成している。そして、ユーザＡはクライアント７の端末６からネットワークサーバ４にアクセスして掲示情報処理装置２を起動させて使用するようになっている。
【００１５】図１は掲示板システム１の主要機能の構成を示すブロック図である。ネットワークサーバ４の掲示情報処理装置２は、掲示情報処理装置２全体を制御する掲示板ＣＰＵ（セントラル・プロセッシング・ユニット）１１と、ＬＡＮ５を介してクライアント７の端末６と交信し情報の送受信を行う伝送制御部１２と、ＤＢ３から情報を検索して掲示板ＣＰＵ１１へ出力するデータ制御部１３とを有している。また、ＤＢ３は掲示情報を記憶する掲示情報記憶部３ａと識別情報等を記憶する参照情報記憶部を含む管理情報記憶部３ｂとからなっている。」（４頁５欄２０〜４３行）
（３）「【００１７】即ち、この掲示板システム１において、ユーザＡが端末６の入力部１８から所望の情報を入力すると、端末６は伝送制御部１７からＬＡＮ５を介して伝送制御部１２と交信を行い、掲示情報処理装置２を起動する。そして、掲示板ＣＰＵ１１は、データ制御部１３によりＤＢ３を検索してＤＢ３のユーザＡが登録されているコーナーへアクセスし、伝送制御部１２を介してコーナー内の登録済文書のタイトル一覧情報を端末６の伝送制御部１７へ送信する。端末ＣＰＵ１４は送信された情報をＲＡＭ１６に保持し、表示部１９にタイトル一覧情報を表示する。
【００１８】このようにして、端末６の表示部１９に表されたタイトル一覧画面から、ユーザＡは新規文書の作成を選択して文書の登録を行ったり、特定の掲載文書を選択して、参照するようになっている。
【００１９】次に、図３は本発明の一実施例である掲示板システム１におけるＤＢ３の掲示情報記憶部３ａに記憶された掲示情報と、管理情報記憶部３ｂに記憶された管理情報を表す図である。掲示情報記憶部３ａの掲示情報は、図３（ａ）に示すように、主に文書の登録と共に掲示板ＣＰＵ１１により付与される文書管理番号（Ｄ１）と、この文書管理番号（Ｄ１）に対応して文書ファイル名（Ｄ２）、文書の登録者（Ｄ３）および文書本文（Ｄ４）を記憶するようになっている。」（４頁６欄５〜２８行）
（４）「【００２６】次にＤＢ３には、このユーザーテーブル２１に入力するユーザのログイン名に関して、作成文書を掲示するコーナに登録されているユーザのログイン名を予め全て記憶しているユーザ名一覧２２ａと、図５に示すような、複数のユーザのログイン名を１つのグループにまとめて記憶しているグループ名一覧２３ａを記憶している。」（５頁７欄３９〜４５行）
（５）「ここで、登録ユーザ以外でこのユーザーテーブル２１に設定されていないログイン名を有するユーザも、作成文書が登録される掲載コーナーへのアクセス権を持っているならば文書の参照は可能であるが、ユーザーテーブル２１への参照は登録ユーザ及び特定ユーザしかできないようになっている。」（５頁８欄２１〜２６行）
（６）「【００４４】次に図８の本発明の登録文書の参照処理を示すフローチャートを用いて、ユーザーテーブル２１に設定された特定ユーザＸによる参照処理を説明する。まず、ユーザＡはクライアント７において端末６の入力部１８からユーザＸ自身のログイン名をはじめとする所望の情報を入力し、伝送制御部１７からＬＡＮ５を介してネットワークサーバ４にアクセスして掲示情報処理装置２を起動する（ＳＴ３１）。
【００４５】掲示情報処理装置２の掲示板ＣＰＵ１１は伝送制御部１２から受信したログイン名に基づいて、データ制御部１３によりＤＢ３のコーナーのうち、受信したログイン名が登録されているコーナーへアクセスする。そして、コーナーに登録された文書に関する登録文書タイトル一覧情報を伝送制御部１２を介して送信する（ＳＴ３２）。端末６の端末ＣＰＵ１４が表示部１９により登録文書タイトル一覧情報を表示すると、ユーザＸは入力部１８により登録文書タイトル一覧画面の中から参照したい文書を指定する（ＳＴ３３）。
【００４６】そして、端末ＣＰＵ１４が掲示情報処理装置２に指定文書の要求指令を送信すると、掲示板ＣＰＵ１１は、伝送制御部１２から受信した指定文書のファイル及び対応する管理情報をデータ制御部１３によりＤＢ３から読み出し、伝送制御部１２を介して端末６へ送信する（ＳＴ３４）。ＳＴ３４で指定した文書ファイルと管理情報を受信して、ＲＡＭ１６に記憶すると、端末ＣＰＵ１４は照会処理を実行しているユーザＸのログイン名と、指定文書を登録した登録ユーザのログイン名（Ｄ３）及びユーザーテーブル２１に設定された特定ユーザ（Ｄ２１−１，Ｄ２１−３，…）とを比較する（ＳＴ３５）。
【００４７】このＳＴ３５で、ユーザＸのログイン名が登録ユーザのログイン名と同一であると判定されると、端末ＣＰＵ１４は図９に示すように指定された文書を表示すると共に「終了」３３、「ユーザーテーブル参照」３２及び「ユーザーテーブル再編集」３１のファンクションキー３０を表示部１９に表示する（ＳＴ３６）。このＳＴ３５で、ユーザＸのログイン名が登録ユーザ及び特定ユーザのログイン名のどちらにも一致せず他ユーザであると判定されると、端末ＣＰＵ１４は指定された文書を表示すると共に図９に示す「終了」３３のファンクションキー３０を表示部１９に表示する（ＳＴ３７）。」（７頁１１欄９〜４９行）
　
　これら記載事項及び図１によると、刊行物１には、
「情報処理手段である掲示情報処理装置及び記憶手段としてのデータベース（ＤＢ）を搭載したネットワークサーバと、このネットワークサーバにローカルエリアネットワーク（ＬＡＮ）を介して接続された複数の端末装置（端末）を有するクライアントとから構成された掲示板システムで、ユーザが端末の入力部から所望の情報を入力すると、端末は伝送制御部からＬＡＮを介して伝送制御部と交信を行い、掲示情報処理装置を起動する。そして、掲示板ＣＰＵは、データ制御部によりＤＢを検索してＤＢのユーザが登録されているコーナーへアクセスし、伝送制御部を介してコーナー内の登録済文書のタイトル一覧情報を端末の伝送制御部へ送信し、表示部にタイトル一覧情報を表示する。このようにして、端末の表示部に表されたタイトル一覧画面から、ユーザは特定の掲載文書を選択して、参照するようになっている。」発明（以下、「引用発明」という。）が記載されている。
　
３．対比
　本願発明と引用発明とを対比する。
　引用発明は「掲示板システム」であるが、掲示板システムは「ある議題に基づくユーザの意見交換」すなわち「討論」のために慣用されている（必要ならば、上記拒絶の理由に引用した特開平８−１９５７７２号公報の２頁２欄４３〜４７行参照）から、これを「電子討論システム」ということができる。すると、引用発明の「掲載文書」、「コーナー」及び「ネットワークサーバ」は、それぞれ本願発明の「発言内容」、「討論テーマ」及び「討論装置」に相当する。
　引用発明ではコーナー内の登録済文書のタイトル一覧から特定の掲載文書を選択するようになっているから、掲載文書を掲載文書が属するコーナーに対応付けて格納していることは明らかである。
　また、引用発明ではユーザが端末の入力部から所望の情報を入力すると、ユーザが登録されているコーナーへアクセスし、コーナー内のタイトル一覧を表示し、ユーザが選択した掲載文書を参照できるようになっているから、この登録されたユーザに操作される端末は、「登録されたユーザからの操作指示を入力し、該登録されたユーザに該当する前記討論装置における格納された発言内容を参照して表示する討論指定聴講端末」に相当する。
してみると、本願発明と引用発明は、
「入力された発言内容を該発言内容が属する討論テーマに対応付けて格納する討論装置と、
　前記登録されたユーザからの操作指示を入力し、該登録されたユーザに該当する前記討論装置における格納された発言内容を参照して表示する討論指定聴講端末
　とを有することを特徴とする電子討論システム。」
である点で一致し、次の点で相違する。
（相違点１）本願発明において、討論装置は登録されているユーザについて該ユーザが参加する前記討論テーマに対応付けられている発言内容を該ユーザに該当するユーザ区分に対応付け、討論指定聴講端末は前記ユーザ区分に対応する前記格納された発言内容を参照して表示するのに対し、引用発明は登録されたユーザに該当するユーザ区分がない点。
（相違点２）本願発明は、前記登録されたユーザ以外のユーザからの前記討論テーマの選択指示を入力し、当該討論テーマに対応付けられた前記格納された発言内容を前記討論装置から得て表示する無指定聴講端末を有するのに対し、引用発明では登録されたユーザ以外のユーザからの討論テーマの選択指示を入力する無指定聴講端末を有さない点。
　
４．判断
　上記（相違点１）について検討する。引用発明ではコーナー毎にそのコーナーに登録されているユーザ名一覧（２．（４）参照）とコーナー内の登録済文書のタイトル一覧情報を（２．（３）参照）格納することで、登録されているユーザーと登録済文書（発言内容）を対応付けるものであるが、サーバー等の格納装置において関連する情報を一つの領域にまとめて格納することは慣用技術であるから、ユーザー毎にその関連する情報を格納するために「ユーザ区分」を設けることは当業者が容易になし得る設計変更である。
　上記（相違点２）について検討する。引用発明においても登録されたユーザ以外のユーザがいる（２．（５）参照）のであり、登録されたユーザのようにコーナーと対応していないから別の操作が必要であることは明らかである。
（なお、刊行物１の段落００４６及び００４７には「指定文書を登録した登録ユーザ」との比較により登録ユーザ、特定ユーザ及び他ユーザかどうか判定し、その前の段落００４５では「登録されているコーナーへアクセスする」ことが記載されているが（２．（６）参照）、ここでいう「登録ユーザ」は指定文書を登録したユーザという意味であって、上述のコーナーに登録されているユーザとは異なるものである。ここでいう「登録ユーザ」は文書毎の「文書の登録者（Ｄ３）」（２．（３）の段落００１９参照）として登録されているものであり、コーナーに登録されているユーザ名一覧２２ａ（２．（４）参照）に登録されるものではないからである。）
　そして、対応するコーナが登録されていなければ、それをその都度選択入力させることは普通に思いつくことであり、そのように設計変更した上で登録されたユーザー以外のユーザが用いる端末を「無指定聴講端末」と呼ぶことは表現上の問題にすぎない。
　そして、上記各相違点を総合的に検討しても格別のものとは言えない。
　
５．むすび
　以上のとおり、本願発明は、刊行物１に記載された発明に基づいて当業者が容易に発明をすることができたものであるから、他の請求項に係る発明について検討するまでもなく、本願については特許法第２９条第２項の規定により特許を受けることができない。
　よって、結論のとおり審決する。